(57)【特許請求の範囲】
【請求項１】
長片の先端より直立延長した短片を設けてＬ字形に形成したベルト部６と、前記短片の表面の延長方向を下面とする貫通孔５ａを有する頭部５とからなり、
この頭部５の先端に前記長片とは反対方向に伸びる印刷性のあるシート状物からなる表示部２を成形工程において一体的に固定し、前記頭部５の貫通孔５ａの上面に係止片５ｃを突設すると共に前記長片にこの係止片５ｃと噛合する係合歯６ａを列設し、
前記短片をベルト部６が貫通孔５ａに挿入される際のガイドとし、挿入方向に方向性を持たせたことを特徴とする表示部付き締付具。
【請求項２】
前記頭部５の貫通孔５ａ内に、短片の延長方向に迫り上がるガイド部５ｃが形成されていることを特徴とする請求項１記載の表示部付き締付具。
【発明の詳細な説明】
【０００１】
【発明の属する技術分野】
本発明は、表示機能付き締付具であって、詳しくは、郵便局等の運搬袋等の口を締付ける表示機能付き締付具であり、簡単で廉価に製造でき、運搬袋等をワンタッチで簡便に確実に締付け、かつ簡単に鮮明な印刷、記入が可能な表示機能付き締付具を提供するものである。
【０００２】
【従来の技術】
郵便局等において硬貨や紙幣を仕分けたり、郵便物を配達地域別に仕分ける作業を行い、仕分けられた硬貨・紙幣や郵便物を運搬袋に入れ、運搬袋を車両等に積み込んで輸送することが行われている。
【０００３】
硬貨等を入れた運搬袋の口を締付けるには、以前は紐、針金等が使用されていたが、最近は、簡単、確実に締付けることができ、かつ見栄えがするプラスチック製の締付具が使用されることが多くなった。このプラスチック製の締付具は、ポリエチレン等の合成樹脂の射出成形によって製造され、略バンドないしフィラメント状に形成され、バンド部ないしフィラメント部の一端に形成された頭部の貫通孔にバンド部ないしフィラメント部の自由端を挿通して、引き絞るとバンド部ないしフィラメント部に形成された係止部材が貫通孔内の係止部材に係合し引き抜き不能に締付け、封緘状態になるものが一般的である。
【０００４】
そして、袋の中身の種類等を表示したり、検印を記したりするために紙製の表示カードが使用されるが、この表示カードを袋に付着するには、図９に示すように、あらかじめ表示カード８にスリット８ａを開けておき、このスリット８ａに締付具９のバンド部ないしフィラメント部９ａを通して取り付けてから、この締付具９で袋７の口を締付けることが行われている。
【０００５】
【発明が解決しようとする課題】
しかしながら、このように表示カードのスリットに一々締付具のバンド部ないしフィラメント部を通して、表示カードを取り付けることは煩雑な細かい手作業にならざるを得ない。
また、取り付けた表示カードが、運搬袋の車両等への積み込み、荷降ろし作業中に、または輸送中に、袋同士の接触によって、スリット部分から引きちぎれて、外れてしまうような事故が発生することがある。
【０００６】
また、引きちぎれることがないように、丈夫な金属製や合成樹脂製のカードを使用する場合は、金属や合成樹脂の表面はインキの乗りが悪く、鮮明な記入、印刷が困難であり、特にバーコードを印刷すると滲みの発生のため、正確に読み取れないという問題がある。
【０００７】
本発明は、上記従来の締付具とそれに取り付ける表示カードの持つ問題を解決し、極めて容易で低コストに製造でき、取り付けがワンタッチで著しく簡便な上に確実であり、印刷性が良くコンテナ等のバーコード管理化に対応できる表示機能付き締付具を提供しようとするものである。
【０００８】
【課題を解決するための手段】
上記のごとき問題を解決するため、本発明の表示部付き締付具は、長片の先端より直立延長した短片を設けてＬ字形に形成したベルト部６と、前記短片の表面の延長方向を下面とする貫通孔５ａを有する頭部５とからなり、この頭部５の先端に前記長片とは反対方向に伸びる印刷性のあるシート状物からなる表示部２を成形工程において一体的に固定し、前記頭部５の貫通孔５ａの上面に係止片５ｃを突設すると共に前記長片にこの係止片５ｃと噛合する係合歯６ａを列設し、前記短片をベルト部６が貫通孔５ａに挿入される際のガイドとし、挿入方向に方向性を持たせたことを特徴とする。
【０００９】
また、前記頭部５の貫通孔５ａ内に、短片の延長方向に迫り上がるガイド部５ｃが形成されていることを特徴とする。
【００１０】
【発明の実施の形態】
次に図面を参照して本発明の表示機能付き締付具の実施の形態を説明する。
図１は本発明の表示機能付き締付具１の正面図、図２は同背面図、図３は同側面図である。
表示機能付き締付具１は、表示部２と締付部３で構成され、表示部２は紙等の印刷性の良い材質のシート状物である。
【００１１】
締付部３は、ナイロン、ポリエステルまたはポリプロピレン等の合成樹脂からなる射出成形品であって、この締付部３の端部に形成している後述する取付部４で前記表示部２を鋳ぐるんで一体的に固定している。
締付部３は、ベルト部６と、このベルト部６の一端に形成された頭部５と、この頭部５からベルト部６の反対方向に延長した形成された取付部４とから構成されている。
【００１２】
前記ベルト部６は、薄肉で細い帯状に伸長して形成される。ベルト部６の先端部付近と根本部（頭部）付近を除く背面には連続する複数の突起によって係止歯６ａが形成されラチェット状になっている。この係止歯６ａは略三角断面で、ベルト部６の先端方向になだらかな傾斜面を持つ一方、頭部５方向に垂直面を持っている。この係止歯６ａの形状は、後述する頭部５の貫通孔５ａ内にベルト部６が挿通された時、係止歯６ａがその傾斜面で貫通孔５ａ内の係止片５ｂに当接して滑走する一方、挿通の反対方向にベルト部６を引かれた時、垂直面で係止片５ｂに係合して引き抜き不能になるように与えられるものである。
【００１３】
また、前記頭部５は、図３，４に示すように（側面視で）、ベルト部６の一端にベルト部６の長手方向に直交して筒状に形成され、前記ベルト部６が挿通される貫通孔５ａが設けられている。ベルト部６が貫通孔５ａに挿通される方向は図４，５の矢印で示す通りであるが、貫通孔５ａのベルト部６を挿通する入口の位置と出口の位置は相互にやや上下にずらして、入口は低く、出口は高く設けられている。
【００１４】
図４，５に示すように、貫通孔５ａの内壁の一側（上側の内壁）の入口寄りに肉厚部５ｄが形成され、この肉厚部５ｄの角部から係止片５ｂが貫通孔５ａの出口方向に突出して設けられる（図７にも示される）。この係止片５ｂは突出の逆方向の押圧に対しては強い抵抗力を持つと共に、上下方向の押圧に対しては可撓性と弾撥力を持つような厚さに設定される。
【００１５】
そして、貫通孔５ａの肉厚部５ｄと係止片５ｂに対向する内壁（下側の内壁）には入口から出口まで次第に高まる傾斜面を持つレール部５ｃが形成されている（図６にも示される）。このレール部５ｃの傾斜面によって、図５に示すように、挿通されるベルト部６が滑りながら上方に、かつ出口方向に案内されると共に、ベルト部６の係止歯６ｂが係止片５ｂに接近して係止歯６ｂの傾斜面で係止片５ｂに当接すると、係止片５ｂを撓ませて押し上げて容易に通過することができ、滑らかに挿通できる。そして、係止片５ｂは連続して繰り返される撓みに耐えて損壊しないように、根本部と肉厚部５ｄにかけてアールを形成して強度を強めてあり、また係止片５ｂの先端部は係止歯６ｂとの連続して繰り返される接触に耐えるように、厚みを増加して強度を強めている。
【００１６】
また、係止歯６ｂによって押し上げられた係止片５ｂは係止歯６ｂが通過すると、弾撥力で瞬間的に原状に復帰する。そして、貫通孔５ａに挿通されたベルト部６を矢印の逆方向に（引き抜き方向に）移動させようとすると、係止歯６ｂがその垂直面で係止片５ｂの先端部に当接し押圧することになるが、係止片５ｂの強い抵抗力により、ベルト部６はそれ以上移動すること（引き抜くこと）ができず、確実に係止状態になる。そして、係止片５ｂの先端部には傾斜が与えられてやや鋭角な角部を形成してあり、これによって係止歯６ｂとの係合を強めて、係止歯６ｂを逃さないようにしてある。
【００１７】
また、前述したように貫通孔５ａの入口と出口は相互にやや上下にずらしていることと、貫通孔５ａにベルト部６が斜めに挿通されてベルト部６が貫通孔５ａの蓋の機能を果たすことによって、貫通孔５ａ内の係止片５ｂは外部から覗きにくくなっており、貫通孔５ａ内に針等を入れて係止片５ｂと係止歯６ｂの係合を外すように細工することが極めて困難になっている。
【００１８】
次に、取付部４は、図４に示すように、前記した頭部５からベルト部６の長手方向の反対方向に延長して形成され、紙または印刷容易な材質のシート状物からなる表示部２を一体的に固定している。この固定方法は、取付部４を成形するキャビティ内に表示部２の縁部をインサートさせたまま、溶融樹脂を注入することによって、表示部２を一体的に固定した状態で取付部４を形成するものであるが、キャビティ内にのぞませる表示部２の縁部にはあらかじめ孔２ａが形成されている（図６，７にも示される）。それによって、取付部４は表示部２の左側の部分４ａと右側の部分４ｂと、これらの間を表示部２の孔２ａを通して連通する連結部４ｃとから形成されるので、表示部２は取付部４に組み込まれた如く、確実に挟持され固定される。
【００１９】
なお、この場合、表示部２の縁部が金型のキャビティ内にインサートされ突出していると、表示部２の縁部は注入される溶融樹脂の抵抗力で変形したり設定位置から変位してしまうので、この縁部をピン等で支持する必要がある。図６，７で示す頭部５の近傍の取付部４に開口した小孔４ｄは、射出成形時に表示部２の縁部を支持し、成形後引き抜かれたピンの跡である。
【００２０】
このようなインサート成形を採用することによって、表示部２を締付部３の材質と異ならせることが自由にできる訳である。表示部２の材質が結束部３の材質と同じ合成樹脂製の場合は、印刷性が悪いことからこれにバーコードを印刷すると滲みが生じて不鮮明になり正確な読み取りができないが、表示部２の材質に紙等の印刷性の良いものを採用することによって、鮮明にバーコードを印刷したり、押印したりすることが可能になるのである。
【００２１】
また、前記ベルト部６の先端には、図３に示すように、複数の横方向の溝６ｂが形成されるが、これは貫通孔５ａ内にベルト部６の先端を挿通するため把持する際の滑り止めになると共に、肉薄にすることによってベルト部６の先端に柔軟性を与え貫通孔５ａ内に挿通し易くしている。
【００２２】
また、図１，２及び４に示すように、頭部５の貫通孔５ａの開口方向はベルト部６の長手方向に直交するように形成されているが、これによって頭部５と貫通孔５を作る金型部分と、ベルト部６を作る金型部分を同時に左右同一方向に開閉できるので、金型の構造と操作をシンプルにすることができ、その結果締付具１を廉価に製造できるのである。
【００２３】
また、ベルト部６には、図１，３に示すように、カーブの近辺の正面に複数の突起６ｃを形成しているが、これは後述する袋の口を締付ける際、袋に突起６ｃを食い込ませて、袋から締付具１が滑って脱落しないようにするためである。
また、ベルト部６の適宜位置に、郵便物の取扱い局等を示す表示６ｄを、調刻版の入子型を用いて成形することができる。
【００２４】
次に、以上に説明した表示機能付き締付具１で、郵便物の運搬袋７の口を締付ける際は、図８に示す如く、表示部２が表向きになるように運搬袋７の口に締付具１のベルト部６を巻き付け、ベルト部６の先端を頭部５の貫通孔５ａに挿通してからベルト部６の先端を引き絞れば、ベルト部６はベルト部６の係止歯６ａと貫通孔５ａ内の係止片５ｂの係合により、運搬袋７の口を引き抜き不能に容易に締付け、封緘することができる。
【００２５】
また、運搬袋７の口を締付け、封緘した締付具１を外す際には、ベルト部６に形成した弱め孔６ｃによってその部分の強度が弱められているから、ここを容易に切断して締付具１を取り外すことができる。
以上、本発明の表示機能付き締付具１を郵便物の運送袋に使用する例で説明してきたが、本発明の締付具１は、その他の用途、例えば農作物や各種商品の収納袋等の締付け、コンテナや倉庫等の封緘、更には複数の物品の結束等に広く使用することができる。
【００２６】
【発明の効果】
本発明に係る表示機能付き締付具は、紙等の印刷性のあるシート状物で形成された表示部と、該表示部の縁部を金型のキャビティ部分にインサートした状態で射出成形することによって固定した合成樹脂製の結束部とからなる表示機能付き締付具であって、前記締付部は、貫通孔を有しこの貫通孔内に係止片を設けた頭部と、この頭部の一側から延長し前記貫通孔内に挿通可能なベルト部と、前記頭部の他側から延長した取付部とからなり、前記ベルト部に前記係止片と係合可能な係止歯を設け、前記取付部に前記表示部の縁部が固定されるように構成されている。
【００２７】
従って、紙等のシート状物で形成された表示部と、合成樹脂製の締付部は、締付部の成形時に同時に一体的に固定されるので、締付部の成形と同時に表示機能付き締付具が完成することになり、表示機能付き締付具は極めて容易に低コストで製造でき、従来の締付具の場合必要だった締付具と表示カードとの手作業による取り付け工程を省略することができる。
【００２８】
次に、表示機能付き締付具で郵便物の運搬袋の口を結束する際は、運搬袋の口を締付具のベルト部で巻き、頭部の貫通孔にベルト部の先端を挿通して引き絞ればベルト部は頭部に引き抜き不能に結止されるので、袋の口を締付け、封緘することがワンタッチで著しく簡便に、かつ確実にできる。
【００２９】
また、本発明の表示部は合成樹脂によって締付部と一緒に射出形成するものではなく、締付部の成形時に表示部の縁部を金型のキャビティにインサートするものであるため、その材料として紙等の印刷性がよく、かつ印刷、記入に適当な形状、面積を持つものを自由に使用することができるので、インサート成形前またはインサート成形後における鮮明な印刷、記入、押印が可能であり、かつ必要な情報量の表示が可能であり、また特にバーコードも鮮明に印刷できるので、郵便物の運搬袋のバーコード管理化に十分に対応できるというすぐれた効果がある。
【００３０】
また、本発明の表示部は、締付部の成形時に表示部の縁部をインサートして、取付部に一体的に鋳ぐるんで固定されるものであって、表示部は確実に締付部に取り付けられて丈夫であるので、使用中に表示部が締付部から引き抜けたり、引き千切れたりして、外れるような事故は発生しない。
【図面の簡単な説明】
【図１】本発明の表示機能付き締付具の正面図である。
【図２】同表示機能付き封緘具の背面図である。
【図３】同表示機能付き封緘具の側面図である。
【図４】図１のＡ−Ａ線矢視断面図である。
【図５】頭部の貫通孔にべルト部を挿通した状態を示す断面図である。
【図６】表示機能付き締付具の要部の部分拡大正面図である。
【図７】表示機能付き締付具の要部の部分拡大背面図である。
【図８】表示機能付き締付具で袋の口を締付けた状態を示す説明図である。
【図９】従来の締付具と表示カードの使用状態を示す説明図である。
【符号の説明】
１  表示機能付き締付具      ２  表示部      ２ａ  孔      ３  締付部
４  取付部      ４ｃ  連結部      ４ｄ  小孔      ５  頭部
５ａ  貫通孔      ５ｂ  係止片      ５ｃ  レール部      ５ｄ  肉厚部
６  ベルト部      ６ａ  係止歯      ６ｂ  溝      ６ｃ  弱め孔
７  袋      ８  表示カード      ９  従来の締付具
【図１】
0003980130.tif 000002
【図２】
0003980130.tif 000003
【図３】
0003980130.tif 000004
【図４】
0003980130.tif 000005
【図５】
0003980130.tif 000006
【図６】
0003980130.tif 000007
【図７】
0003980130.tif 000008
【図８】
0003980130.tif 000009
【図９】
0003980130.tif 000010